(57)【要約】      （修正有）【課題】固形墨を垂直に保持し、固定墨に一定の押圧力で付加して固定墨を磨ることができる電動墨磨り装置を提供する。【解決手段】電動墨磨り装置１０は、墨池が内側に形成された箱型容器１２と、墨を挿入する開口１６ａが形成された天板１６と、前記開口１６ａより挿入される固形墨Ａを磨る墨磨り部材１８と、墨磨り部材１８を回転させるモータ２０と、天板１６上に押圧機構２２とを有する。押圧機構２２は、天板１６上に垂直に固定された２本の支柱４２と、支柱４２にガイドされて上下方向に摺動可能な押圧板４４と、押圧板４４に搭載可能な重り４６とを含み、押圧板４４は、固形墨Ａの上端を垂直方向に押圧する。【選択図】図１
0003141730.tif 000002
【実用新案登録請求の範囲】
【請求項１】
底部および底部に接続された側壁を含み、側壁の上端が開放されており、底部には水および墨汁を溜める墨池が形成されている箱型容器と、
前記箱型容器の側壁の上端に載置され、墨を挿入する開口が形成された天板部材と、
前記箱型容器と前記天板部材とによって形成された内部空間内に回転可能に配置され、前記開口より挿入される前記墨を磨る墨磨り部材と、
前記内部空間内に配置され、前記墨磨り部材を回転させるモータと、
前記天板部材上に取り付けられた押圧機構とを有し、
前記押圧機構は、前記天板部材上にほぼ垂直に固定された少なくとも２本の支柱と、前記少なくとも２本の支柱にガイドされて上下方向に摺動可能であり前記開口内の墨の端部を押圧する押圧板と、前記墨を位置決めするための位置決め部材とを有する、電動墨磨り装置。
【請求項２】
前記位置決め部材は、前記押圧板に取り付けられ、前記押圧板の面内のＸ方向およびＹ方向に移動可能である、請求項１に記載の電動墨磨り装置。
【請求項３】
前記押圧機構はさらに、前記押圧板上に搭載可能な重しを含む、請求項１または２に記載の電動墨磨り装置。
【請求項４】
前記天板には、前記モータの回転速度を可変する入力部が設けられている、請求項１ないし３いずれか１つに記載の電動墨磨り装置。
【考案の詳細な説明】
【技術分野】
【０００１】
本考案は、書道芸術の分野で利用される墨汁を作る電動墨磨り装置に関する。
【背景技術】
【０００２】
書道芸術の分野において、よりよい作品を製作するため、墨汁を確保することが必要である。市販されている墨汁は、化学薬品を合成するなど工業的に生産されたものが殆どであり、固形墨を磨ることで作られる墨汁と比べると、濃淡、光沢、品格などにおいて格段の差がある。
【０００３】
作品の創作には、多量の墨汁を必要とすることがあり、固形墨を磨ることで得られる良質な墨汁の準備には、莫大な労力と時間を必要とする。特許文献１は、微細な粒子からなる良質の墨汁を、短時間で生成することができる電動墨磨り装置に関する技術を開示している。
【０００４】
図1は、従来の電動墨磨り装置の概略を示す斜視図と側面断面図である。従来の墨磨り装置８０は、例えば、液体を溜める函状容器８２、函型容器８２の上部開口を塞ぎ、固形墨の挿入口が形成された天板８４と、天板８４の裏面に固定されたモータ８６と、減速器８８を介して、減速されたモータ８６の駆動力に基づき回転し、挿入された固形墨を磨るローラー部９０とを含んでいる。
【０００５】
天板８４に形成された開口から直方体状の固形墨が挿入され、モータ８６により回転するローラー部９０は、挿入された固形墨の端部を磨る。ローラー部９０の表面には、らせん状の溝が形成され、この溝は、ローラー部９０の回転により墨池から水を固形墨の接触部に供給する。これにより、短時間に良質の墨汁が作られる。
【０００６】
【特許文献１】特許６１８８３６
【考案の開示】
【考案が解決しようとする課題】
【０００７】
特許文献１に示すような従来の電動墨磨り装置では、固形墨をローラー部に押圧するための手段が講じられていない。このため、ユーザは、幅広の輪ゴムを用い、輪ゴムで箱型容器の下面と固形墨の上端部とを押さえ、輪ゴムの張力により固形墨をローラー部に押さえ付けていた。しかし、この押圧方法では、固形墨が徐々に減っていくに伴い、輪ゴムの張力が徐々に弱くなるため、固定墨を一定の押圧力で押圧することができなかった。
【０００８】
さらに、ローラー部と接触する固定墨の端部は、ローラー部の回転方向に力を受けるため、必ずしも平坦な面とはならず、従って、固定墨は、開口内で垂直に保持されずに幾分傾いてしまう。この状態で、固定墨に張力を与えると、固定墨がうまく磨れなかったりし、墨汁の準備に必要以上に時間を要してしまうことがあった。
【０００９】
本考案は、上記従来の課題を解決するために成されたものであり、垂直方向から墨を押圧し、墨汁を容易に効率よく生成することができる電動墨磨り装置を提供することを目的とする。
【課題を解決するための手段】
【００１０】
本考案に係る電動墨磨り装置は、底部および底部に接続された側壁を含み、側壁の上端が開放されており、底部には水および墨汁を溜める墨池が形成されている箱型容器と、前記箱型容器の側壁の上端に載置され、墨を挿入する開口が形成された天板部材と、前記箱型容器と前記天板部材とによって形成された内部空間内に回転可能に配置され、前記開口より挿入される前記墨を磨る墨磨り部材と、前記内部空間内に配置され、前記墨磨り部材を回転させるモータと、前記天板部材上に取り付けられた押圧機構とを有し、前記押圧機構は、前記天板部材上にほぼ垂直に固定された少なくとも２本の支柱と、前記少なくとも２本の支柱にガイドされて上下方向に摺動可能であり前記開口内の墨の端部を押圧する押圧板と、前記墨を位置決めするための位置決め部材とを有する。
【００１１】
好ましくは前記位置決め部材は、前記押圧板に取り付けられ、前記押圧板の面内のＸ方向およびＹ方向に移動可能である。好ましくは前記押圧機構はさらに、前記押圧板上に搭載可能な重しを含む。好ましくは前記天板部材には、前記モータの回転速度を可変する入力部が設けられている。
【考案の効果】
【００１２】
本考案の電動墨磨り装置によれば、位置決め部材が開口内の墨をほぼ垂直に保持し、押圧板が墨を垂直方向に押圧することで、墨を精度よく磨ることができ、短時間で効率よく墨汁をつくることができる。
【考案を実施するための最良の形態】
【００１３】
本考案の最良の実施の形態について図面を参照して詳細に説明する。
【実施例】
【００１４】
図１は、本考案の実施例に係る電動墨磨り装置の概略構成を示す断面図である。本実施例の電動墨磨り装置１０は、底部および底部からほぼ垂直方向に延在する側部を含み、側部の上端が開放され、底部には水および墨汁を溜める墨池が形成された箱型容器１２と、箱型容器１２の上端に接続され、内部に空洞が形成されている中胴１４と、中胴１４の上端縁部に載置され、固形墨Ａを挿入するための開口１６ａが形成された天板１６と、箱型容器１２、中胴１４および天板１６によって形成された内部空間内に回転可能に取り付けられ、挿入された固形墨Ａを磨る墨磨り部材１８と、墨磨り部材１８を回転させるモータ２０と、天板１６に接続され、固形墨Ａの上端を垂直方向に押圧する押圧機構２２とを含んでいる。天板１６の裏面には、スペーサ２４により支持板２６が取り付けられ、モータ２０は、支持板２６の下面に固定されている。
【００１５】
箱型容器１２の底部の中央には、仕切りが設けられ、仕切りの両側に深さの異なる２つの墨池が形成されている。好ましくは、右側の墨池には、水Ｗが入れられ、そこには約１４０ｍｌの墨汁を貯蔵することができる。墨磨り部材１８は、貯蔵された水Ｗと接触し、回転することで水を固定墨Ａに供給する。また、左側の墨池は、モータ２０に対向し、ここを使用すれば、約７０ｍｌの墨汁を貯蔵することができる。準備する墨汁の量に応じて、一方または双方の墨池が適宜、使用される。
【００１６】
墨磨り部材１８は、水平方向に延びる回転軸１８ａを両端に備えた円柱状の回転部材であり、両端の回転軸１８ａは、天板１６の裏面から下方に延びた回転軸懸架板１６ｂに回転可能に支持されている。墨磨り部材１８の表面は、微小の凹凸が形成され研磨面１８ｂが形成されている。また、墨磨り部材１８の表面には、らせん状の溝１８ｃが形成され、溝１８ｃは、墨磨り部材１８の回転により、墨池に貯蔵された水または墨汁を下部から上部へと水を吸い上げる。これにより、墨磨り部材１８の研磨面１８ｂに適度な水分が与えられ、固定墨Ａの端部を円滑に磨ることができる。
【００１７】
墨磨り部材１８の一方の回転軸１８ａには、モータ２０の回転軸２０ａに接続され、モータ２０からの駆動が伝達されるようになっている。モータ２０の回転速度を調整することで、墨磨り部材１８の回転速度が可変される。これにより、固定墨Ａの研磨速度が可変され、墨汁をつくる時間を短縮したり、墨汁を所望の濃度に調節することができる。
【００１８】
図２（ａ）は、天板の概略上面図であり、図２（ｂ）は、天板の側面図である。天板１６の右側部分には、図２（ａ）に示すように、固形墨Ａを挿入するための矩形状の開口１６ａが形成されている。開口１６ａを取り囲むように角環状の台座４０が取り付けられ、この台座４０は、押圧機構２２を固定する。
【００１９】
一方、開口１６ａの底面側には、上記したように墨磨り部材１８の回転軸１８ａを保持するための回転軸懸架板１６ｂが形成されている。ここで、対向する回転軸懸架板１６ｂの一方は、対向する２つのフック部３０により固定されおり、天板１６からの取り外しが可能である。回転軸懸架板１６ｂを取り外すことで、墨磨り部材１８の着脱が可能となり、墨磨り部材１８を洗浄したり、交換することができる。
【００２０】
天板１６の左側部分には、直流電源を接続するための電源プラグ３２と、モータ２０を駆動する電源スイッチ３４と、モータ２０の回転速度を調整するための速度調節ツマミ３６が取り付けられている。これらの電子部品は、リード線等を介して、スペーサ２４に支持された支持板２６の上方に配置された回路基板３８に電気的に接続されている。回路基板３８には、モータ２０を駆動するための電子部品または電子回路等が実装されている。
【００２１】
図３は、電動墨磨り装置の押圧機構を示す概略断面図である。押圧機構２２は、天板１６の上面に取り付けられる角環状の台座４０と、台座４０上にほぼ垂直に固定された２つの円筒状の支柱４２と、２つの支柱４２にガイドされて上下方向に摺動可能な押圧板４４と、押圧板４４上に積載可能な重り４６とを含んでいる。
【００２２】
台座４０は、開口１６ａを露出するように、ボルトなどにより天板１６の上面に取り付けられている。台座４０の上面には、左右対向する対称位置に、金属製の２つの支柱４２が固定されている。好ましくは、支柱４２の下端部は、ネジ部材のように加工されており、台座４０に形成されたネジ穴に接続され固定される。
【００２３】
図４（ａ）は、押圧板の上面図であり、図４（ｂ）は押圧板の側面図である。押圧板４４には、支柱４２が差し込まれる２つの円形状の貫通孔５０が形成されている。また、押圧板４４には、Ｘ方向に長手方向を有する長穴５２と、Ｙ方向に長手方向を有する長穴５４とが形成されている。
【００２４】
押圧板４４の下面側には、Ｘ方向に移動可能な位置決め部材５６と、Ｙ方向に移動可能な位置決め部材５８とが取り付けられている。位置決め部材５６は、長穴５２を介して押圧板４４の上面側のネジ部材６０に接続されている。ネジ部材６０を緩めることで位置決め部材５６はＸ方向に移動することができる。ネジ部材６０を締めることで位置決め部材５６を固定することができる。
【００２５】
一方、位置決め部材５８は、長穴５４に介して押圧板４４の上面側のネジ部材６２に接続されている。上記と同様にネジ部材６２を緩めることで、位置決め部材５８をＹ方向に移動させることができる。位置決め部材５６、５８は、開口１６ａ内に挿入された固定墨Ａの側面に接触し、固定墨ＡをＸ方向およびＹ方向から押し付けることで、固形墨Ａを開口１６ａ内に垂直に保持することができる。
【００２６】
図５は、重りの上面図である。重り４６は、例えば鉄製であり、直方体状を有する。重り４６の左右側面には、半円状の溝４６ａが形成されている。重り４６を押圧板４４上に搭載したとき、半円状の溝４６ａ内に支柱４２が部分的に係合し、重り４６の重量が押圧板４４に鉛直方向に与えられる。これにより、固定墨Ａの上端部には鉛直方向の押圧が重り４６と押圧板４４によって与えられる。重り４６は、固形墨Ａの種類や墨磨り部材１８の回転速度に合わせて、適宜選択される。重り４６には、例えば、重量４４０ｇのものが利用される。また、複数の重りを用いることも可能である。
【００２７】
このように本考案の実施例によれば、位置決め機能を備えた押圧機構を天板上に組み込むことで、固形墨Ａを垂直に保持しながら、一定の押圧力を固定墨Ａに付加しながら固定墨を磨ることができる。これにより、効率よく墨汁を作ることができる。
【００２８】
上記実施例では、固形墨を保持する位置決め部材は、押圧板に取り付けられていたが、これに限らず、天板に形成された開口に取り付けるものであってもよい。また、固形墨は、上記した直方体状に限らず、その大きさ、形状は、変更されたものであってもよい。例えば、固形墨の上端部は湾曲していてもよい。
【００２９】
以上、本考案の好ましい実施の形態について詳述したが、本考案は、特定の実施形態に限定されるものではなく、特許請求の範囲に記載された本考案の要旨の範囲内において、種々の変形・変更が可能である。
【産業上の利用可能性】
【００３０】
本考案に係る電動墨磨り装置は、墨汁を作る墨磨り装置に利用される。
【図面の簡単な説明】
【００３１】
【図１】本考案の実施例に係る電動墨磨り装置の概略構成を示す断面図である。
【図２】図２（ａ）は、天板の上面図であり、図２（ｂ）は、天板の側面図である。
【図３】押圧機構を示す断面図である。
【図４】図４（ａ）は、押圧板の上面図であり、図４（ｂ）は、押圧板の側面図である。
【図５】重りの上面図である。
【図６】従来の電動墨磨り装置を示す概略構成を示す斜視図と断面図である。
【符号の説明】
【００３２】
１０：電動墨磨り装置                  １２：箱型容器
１４：中胴                            １６：天板
１８：墨磨り部材                      ２０：モータ
２２：押圧機構                        ２４：スペーサ
２６：支持板                          ３０：フック部
３２：電源プラグ                      ３４：電源スイッチ
３６：速度調節ツマミ                  ３８：電気基板
４０：台座                            ４２：支柱
４４：押圧板                          ４６：重り
５０：貫通孔                          ５２、５４：長穴
５６、５８：位置決め部材              ６０、６２：ネジ部材
【図１】
0003141730.tif 000003
【図２】
0003141730.tif 000004
【図３】
0003141730.tif 000005
【図４】
0003141730.tif 000006
【図５】
0003141730.tif 000007
【図６】
0003141730.tif 000008